(57)【特許請求の範囲】
【請求項１】
無線セルラー通信ネットワークにおいて、ダウンリンクタイムスロットで転送されるいずれのシンボルを半二重端末が選択しなければならないのかを判断する方法であって、
前記半二重端末は、アップリンクタイムスロットでシンボルを転送する時機を決定するための、前記半二重端末によって使用されるタイミングアドバンス情報を受信し、
前記ダウンリンクタイムスロットは、長くとも最大継続時間に等しい継続時間を有し、
前記シンボルは前記ダウンリンクタイムスロットで連続的に転送される
方法において、
前記方法は、前記半二重端末によって実行される複数のステップとして、
前記受信されたタイミングアドバンス情報からアイドル期間と呼ばれる時間期間を計算するステップと、
前記ダウンリンクタイムスロットの開始部に含まれる前記ダウンリンクタイムスロットのシンボル群を選択するステップであって、前記ダウンリンクタイムスロットの開始部は、前記最大ダウンリンクタイムスロット継続時間から前記アイドル期間を引いたものに等しい継続時間を有する、選択するステップと、
前記シンボル群の最後のシンボルを表す信号の電力強度を測定するステップと、
前記最後のシンボルを表す前記信号の前記電力強度がしきい値よりも低い場合には、前記シンボル群から前記最後のシンボルを除去するステップと
を含むことを特徴とする、方法。
【請求項２】
前記方法は、前記最後のシンボルを表す前記信号の前記電力強度が前記しきい値よりも低い限り実行される複数のステップとして、
前記シンボル群の前記最後のシンボルを表す前記信号の前記電力強度を測定するステップと、
前記最後の選択されたシンボルを表す前記信号の前記電力強度が前記しきい値よりも低い場合には、前記シンボル群から前記最後のシンボルを除去するステップと
をさらに含むことを特徴とする、請求項１に記載の方法。
【請求項３】
前記最後のシンボルを表す前記信号の前記電力強度が前記しきい値以上である場合には、前記方法は、前記シンボル群の前記シンボルを復調するさらなるステップを含むことを特徴とする、請求項２に記載の方法。
【請求項４】
各ダウンリンクタイムスロットで実行されることを特徴とする、請求項１〜３のいずれか一項に記載の方法。
【請求項５】
アップリンクタイムスロットに先行するダウンリンクタイムスロットのそれぞれで実行されることを特徴とする、請求項１〜３のいずれか一項に記載の方法。
【請求項６】
前記しきい値は所定の値であることを特徴とする、請求項１〜５のいずれか一項に記載の方法。
【請求項７】
前記しきい値は、所定の値によってマイナー化される前記シンボル群の前記シンボルの前記信号電力強度に従って求められることを特徴とする、請求項１〜５のいずれか一項に記載の方法。
【請求項８】
前記しきい値は、所定の値によってマイナー化される前記シンボル群の前記シンボルの一部の前記信号電力強度に従って求められることを特徴とする、請求項１〜５のいずれか一項に記載の方法。
【請求項９】
前記しきい値は、所定の値によってマイナー化される複数のシンボル群の前記シンボルの少なくとも一部の前記信号電力強度に従って求められることを特徴とする、請求項１〜５のいずれか一項に記載の方法。
【請求項１０】
前記アイドル期間は、前記受信されたタイミングアドバンス情報から、以下の式：
ＩＰTE＝Ｉｎｔｅｇｅｒ（（（ＴＡ＋ＲＴＳ）／ｔｓｄｌ）＋１）*ｔｓｄｌ
に従って計算され、
ここで、ＴＡは前記タイミングアドバンス情報であり、
ＲＴＳは、前記端末の受信から送信への切り換え時間であり、
ｔｓｄｌは１つのシンボルの継続時間である
ことを特徴とする、請求項１〜９のいずれか一項に記載の方法。
【請求項１１】
前記シンボル群の最後の少なくとも１つのシンボルを表す前記信号が、少なくとも１つのタイムスロット中、前記しきい値よりも低い電力強度を有する場合に、
前記半二重端末は、基地局が、前記基地局のセル内に位置する各半二重端末について同じアイドル期間を設定すると判断する
ことを特徴とする、請求項１〜１０のいずれか一項に記載の方法。
【請求項１２】
前記シンボル群の前記最後のシンボルを表す前記信号が、所与の個数のタイムスロット中、前記しきい値よりも高い電力強度を有し、且つ、前記シンボル群の継続時間が少なくとも１回変化する場合に、
前記半二重端末は、基地局がアイドル期間を設定しないと判断するか、又は、
前記半二重端末は、前記基地局が、前記基地局のセル内に位置する各半二重端末について半二重端末固有のアイドル期間を求めると判断する
ことを特徴とする、請求項１〜１０のいずれか一項に記載の方法。
【請求項１３】
前記無線セルラー通信ネットワークは、異なる端末を多重化するために、
時分割多元接続技術を使用するか、又は、
周波数分割多元接続技術を使用するか、又は、
符号分割多元接続技術を使用する
ことを特徴とする、請求項１〜１２のいずれか一項に記載の方法。
【請求項１４】
無線セルラー通信ネットワークにおいて、ダウンリンクタイムスロットで転送されるいずれのシンボルを半二重端末が選択しなければならないのかを判断するためのデバイスであって、
前記半二重端末は、アップリンクタイムスロットでシンボルを転送する時機を決定するための、前記半二重端末によって使用されるタイミングアドバンス情報を受信し、
前記ダウンリンクタイムスロットは、長くとも最大継続時間に等しい継続時間を有し、
前記シンボルは前記ダウンリンクタイムスロットで連続的に転送される
デバイスにおいて、
前記デバイスは前記半二重端末に含まれ、
前記デバイスは、
前記受信されたタイミングアドバンス情報からアイドル期間と呼ばれる第１の時間期間を計算する手段と、
前記ダウンリンクタイムスロットの開始部に含まれる前記ダウンリンクタイムスロットのシンボル群を選択する手段であって、前記ダウンリンクタイムスロットの開始部は、前記最大ダウンリンクタイムスロット継続時間から前記アイドル期間を引いたものに等しい継続時間を有する、選択する手段と、
前記シンボル群の最後のシンボルを表す信号の電力強度を測定する手段と、
前記最後のシンボルを表す前記信号の前記電力強度がしきい値よりも低い場合には、前記シンボル群から前記最後のシンボルを除去する手段と
を備えることを特徴とする、デバイス。
【請求項１５】
プログラマブルデバイス内に直接ロード可能とすることができるコンピュータプログラムであって、前記コンピュータプログラムがプログラマブルデバイス上で実行されると、請求項１〜１３のいずれか一項に記載の方法のステップを実施するための命令又はコード部分を含む、コンピュータプログラム。
【発明の詳細な説明】
【技術分野】
【０００１】
本発明は、包括的には、無線セルラー通信ネットワークにおいて、ダウンリンクタイムスロットで転送されるいずれのシンボルを半二重端末が選択しなければならないのかを判断するための方法及びデバイスに関する。
【０００２】
全二重端末は、無線信号の送信及び受信を同時に行うことができる端末である。
【０００３】
半二重端末は、無線信号の送信及び受信を同時に行うことができない端末である。時分割複信（ＴＤＤ）モードで動作する半二重ＦＤＤ端末は、信号の送信及び受信を、異なる周波数帯域上で異なる時間期間に行う。
【０００４】
半二重端末は、たとえば、デュプレクサを有しない端末のように、無線信号の送信及び受信を同時に行う能力をまったく有しない端末の場合もある。また、たとえば、送信に使用される周波数帯域と受信に使用される周波数帯域との間の間隔がその端末のデュプレクサに適合しないために、無線信号の送信及び受信を同時に行わないように一時的に強制される全二重端末の場合もある。
【０００５】
一部の基地局は、半二重ＦＤＤ端末をハンドリングするために全二重ＦＤＤ複信モードを使用する。これによって、基地局は、半二重ＦＤＤ端末のダウンリンクタイムスロット及びアップリンクタイムスロットを異なる時間に適切にスケジューリングすることによって、全二重ＦＤＤ端末及び半二重ＦＤＤ端末を合わせてハンドリングすることができる。
【０００６】
半二重ＦＤＤ端末及び全二重ＦＤＤ端末を取り扱う無線セルラー通信ネットワークには、異なるタイプの基地局がデプロイされる場合がある。
【０００７】
基地局のタイプは、基地局の製造業者及び／又は無線セルラー通信ネットワークの所有者に従って変化する場合がある。特に、所与の端末のダウンリンクタイムスロット及びその直後に続くアップリンクタイムスロットを管理する方法は異なる場合がある。
【０００８】
基地局によるシンボルの転送モードが何であろうと、半二重端末は、ダウンリンクからアップリンクに切り換えると共に、基地局によって転送されたタイミングアドバンス情報によって示された時点で送信を行うために、アイドル期間を作成する必要がある。
【０００９】
基地局が、時刻ｔｅに半二重端末へシンボルを送信したとき、これらのシンボルは、基地局から距離ｄに位置する半二重端末によって、ｔｅ＋ＲＴＤ（ｄ）／２に等しい時刻に受信される。ここで、ＲＴＤ（ｄ）は、この端末のラウンドトリップ遅延(Round Trip Delay)である。これらのシンボルは、半二重端末によって処理される。端末はその後、アップリンクチャネルによって基地局へシンボルを送信することができる。半二重端末は、ハードウェアオペレーション及びソフトウェアオペレーションの継続時間を考慮するために、アップリンクチャネルによってシンボルを送信する前に或る時間期間待たなければならない。たとえば、この遅延ＲＴＳは、半二重端末のハードウェア機器が受信モードと送信モードとの間を切り換えるのに必要とする時間、及び、基地局のハードウェア機器が送信モードと受信モードとの間を切り換えるのに必要とする時間の最大値である。したがって、アップリンクチャネルによって送信されるシンボルは、ｔｅ＋ＲＴＤ（ｄ）＋ＲＴＳ＋ＤDLに等しい時刻ｔｒの前には基地局ＢＴＳで受信することができない。ＤDLは、半二重端末がダウンリンクチャネルで受信することができるシンボルの全継続時間である。
【００１０】
アップリンクチャネルが同期しているとき、基地局の所与のセルのアップリンクチャネルで送信されるシンボルは、基地局と端末とを隔てる距離にかかわらず、基地局によって同じ時刻ｔｒに受信されなければならない。基地局とその基地局のセルに含まれる各端末とを隔てる距離にかかわらず、アップリンクシンボルは、基地局によって同時に受信される必要があるので、基地局は、各端末についてタイミングアドバンス情報ＴＡを求める。
【００１１】
半二重端末が、半二重端末のデータを含む先行するダウンリンクタイムスロットの直後に続くアップリンクタイムスロットにおいてスケジューリングされている場合、半二重端末は、自身のタイミングアドバンスＴＡ値を、アップリンクチャネルによるシンボルの送信に適用して、送信されるシンボルが、アップリンクタイムスロットの開始時刻ｔｒに、基地局において端末から受信されるようにする。
【００１２】
たとえば、第３世代パートナーシッププロジェクト長期的発展型（３ＧＰＰ／ＬＴＥ）と互換性のある１０ｋｍのＦＤＤセル半径を有する基地局を考える場合、基地局がそのセル内のいずれの位置にも位置する半二重端末もハンドリングすることができるようにするためには、基地局側及び半二重端末側の双方、又は、半二重端末側のみのいずれかで、２シンボルの継続時間に対応するアイドル期間継続時間を作成する必要がある。２シンボルの継続時間に対応するアイドル期間継続時間によって、基地局は、この基地局から最大１９．６ｋｍまでの距離に位置する半二重端末をハンドリングすることが可能になる。
【００１３】
１シンボルの継続時間に対応するアイドル期間継続時間では、基地局は、この基地局から最大８．３ｋｍまでの距離に位置する半二重端末しかハンドリングすることができない。このようなアイドル期間継続時間によって、全二重端末であればハンドリングすることができるが、たとえ測定チャネルの信号の品質が十分高くても、基地局は、この基地局から８．３ｋｍよりも大きい距離に位置する半二重端末をハンドリングすることができない。
【００１４】
アイドル期間は、半二重端末において作成する必要があるのに対して、基地局におけるアイドル期間の作成は強制的なものではない。場合によっては基地局によって作成されるアイドル期間を考えるとき、３つの異なるシンボル転送モードを想定することができる。
【００１５】
図３は、基地局によるダウンリンクチャネルでの異なるシンボル転送モードを示すクロノグラムである。
【００１６】
基地局の第１のモードは、基地局用のアイドル期間を作成しないことにその本質がある。これによって、基地局は、全二重ＦＤＤ端末の場合と同様に半二重ＦＤＤ端末へ送信を行うので、実施コストが削減される。
【００１７】
３０ａで示すクロノグラムでは、基地局は、アイドル期間を一切考慮することなく、ダウンリンクチャネルＤＬでシンボルを転送する。基地局は、各端末を、潜在的に全二重端末であるとみなす。基地局は、たとえシンボルが半二重端末によって使用可能でない場合であっても、シンボルを転送する。基地局は、Ｓ0〜Ｓ10で示す１１個のシンボルをダウンリンクタイムスロットＤＬで転送する。
【００１８】
基地局の第２のモードは、基地局のセルにおけるすべての半二重端末について同じアイドル期間を作成することにその本質がある。これによって、基地局の電力消費が最小にされ、したがって、基地局は、半二重端末によって有効に受信することができない信号の送信を回避する。また、これによって、基地局の開発及びハードウェアの複雑度も最小にされる。
【００１９】
３０ｂで示すクロノグラムでは、基地局は、アイドル期間ＩＰを求める。このアイドル期間ＩＰは、この基地局のセル内に位置するいずれの半二重端末についても同じである。基地局は、Ｓ0〜Ｓ6で示す７つのシンボルをダウンリンクタイムスロットＤＬで転送する。アイドル期間中、シンボルは基地局によっては転送されない。
【００２０】
基地局の第３のモードは、基地局から各半二重端末までの距離に従って、各半二重端末に固有のアイドル期間を作成することにその本質がある。実際に、半二重端末と基地局との間の可能な最大距離に従って定められる、セルにおけるすべての端末について固定されたアイドル期間と比較すると、アイドル期間を短くすることができる。すなわち、いくつかの補助シンボルを送信することができる。これは、基地局に近い半二重端末にとって特に有用である。実際に、これらの端末については、より良好なスループットが達成される。
【００２１】
３０ｃで示すクロノグラムでは、基地局は、この基地局によってハンドリングされる各半二重端末について、その半二重端末に割り当てることができるダウンリンクタイムスロットにおけるダウンリンクシンボルの個数を求める。
【００２２】
特許文献１から、基地局ＢＳからの距離ｄｉに位置する半二重端末について、タイミングアドバンス情報ＴＡ（ｄｉ）が、ダウンリンクタイムスロットの全継続時間ＤDLTからタイミングアドバンス情報ＴＡ（ｄｉ）を引いたものが、ダウンリンクシンボルの個数ｎdlの継続時間に受信送信切り換え時間を加えたものと、個数ｎdl＋１のダウンリンクシンボルの継続時間に受信送信切り換え時間を加えたものとの間に含まれるようなものである場合に、基地局は、その半二重端末用の情報をｎdl個のダウンリンクシンボルに挿入することができる。この受信送信切り換え時間は、受信モードから送信モードへの切り換え時間であり、単にスイッチング時間とも呼ばれ、ＲＴＳとして参照される。ここで、ｔｓｄｌは、ダウンリンクシンボル継続時間を定義する。この条件は、数学的には、以下のように記述することができる。
【００２３】
ｎdl・ｔｓｄｌ≦ＤDLT−ＴＡ（ｄｉ）−ＲＴＳ＜（ｎdl＋１）ｔｓｄｌである場合、データは、多くともｎdl個のシンボルで送信される。
【００２４】
したがって、各端末について、Ｉｎｔｅｇｅｒ（（ＴＡ（ｄｉ）＋ＲＴＳ）／ｔｓｄｌ）＋１個のシンボルのアイドル期間ＩＰが作成される。
【００２５】
それから、基地局は、Ｓ0〜Ｓ7で示す８つのシンボルをダウンリンクチャネルＤＬで転送する。
【先行技術文献】
【特許文献】
【００２６】
【特許文献１】欧州特許出願公開第１７４６７４３号明細書
【００２７】
半二重端末をハンドリングする基地局によって使用されるシンボル転送モードの識別を可能にするために、或る適切なシグナリングが必要とされる。しかしながら、このようなシグナリングによって、有効なデータ送信のための利用可能なスループットが低減される。これは、ネットワークにとって不利益であり、これによって、効率性が失われる。
【００２８】
本発明は、いずれのシンボル転送モードが基地局によって使用されるのかを半二重端末に示すのに余分なシグナリングが使用されることを回避することを目的とする。
【００２９】
そのために、本発明は、無線セルラー通信ネットワークにおいて、ダウンリンクタイムスロットで転送されるいずれのシンボルを半二重端末が選択しなければならないのかを判断する方法であって、
半二重端末は、アップリンクタイムスロットでシンボルを転送する時機を決定するための、半二重端末によって使用されるタイミングアドバンス情報を受信し、
ダウンリンクタイムスロットは、長くとも最大継続時間に等しい継続時間を有し、
シンボルはダウンリンクタイムスロットで連続的に転送される
方法において、
方法は、半二重端末によって実行される複数のステップであって、
受信されたタイミングアドバンス情報からアイドル期間と呼ばれる時間期間を計算するステップと、
ダウンリンクタイムスロットの開始部に含まれるダウンリンクタイムスロットのシンボル群を選択するステップであって、ダウンリンクタイムスロットの開始部は、最大ダウンリンクタイムスロット継続時間からアイドル期間を引いたものに等しい継続時間を有する、選択するステップと、
シンボル群の最後のシンボルを表す信号の電力強度を測定するステップと、
最後のシンボルを表す信号の電力強度がしきい値よりも低い場合には、シンボル群から最後のシンボルを除去するステップと
を含むことを特徴とする、方法に関する。
【００３０】
本発明はまた、無線セルラー通信ネットワークにおいて、ダウンリンクタイムスロットで転送されるいずれのシンボルを半二重端末が選択しなければならないのかを判断するためのデバイスであって、
半二重端末は、アップリンクタイムスロットでシンボルを転送する時機を決定するための、半二重端末によって使用されるタイミングアドバンス情報を受信し、
ダウンリンクタイムスロットは、長くとも最大継続時間に等しい継続時間を有し、
シンボルはダウンリンクタイムスロットで連続的に転送される
デバイスにおいて、
デバイスは半二重端末に含まれ、
デバイスは、
受信されたタイミングアドバンス情報からアイドル期間と呼ばれる第１の時間期間を計算する手段と、
ダウンリンクタイムスロットの開始部に含まれるダウンリンクタイムスロットのシンボル群を選択する手段であって、ダウンリンクタイムスロットの開始部は、最大ダウンリンクタイムスロット継続時間からアイドル期間を引いたものに等しい継続時間を有する、選択する手段と、
シンボル群の最後のシンボルを表す信号の電力強度を測定する手段と、
最後のシンボルを表す信号の電力強度がしきい値よりも低い場合には、シンボル群から最後のシンボルを除去する手段と
を備えることを特徴とする、デバイスにも関する。
【００３１】
したがって、いずれのシンボル転送モードが基地局によって使用されるのかを半二重端末に示すのに余分なシグナリングは使用されない。
【００３２】
ダウンリンクタイムスロットの開始部（ダウンリンクタイムスロットの開始部は、最大ダウンリンクタイムスロット継続時間からアイドル期間を引いたものに等しい継続時間を有する）に含まれるダウンリンクタイムスロットのシンボル群を選択することによって、基地局がダウンリンクタイムスロットで第１のシンボル転送モード又は第３のシンボル転送モードを使用した場合に、半二重端末は、その半二重端末用であるシンボルを受信することができる。
【００３３】
シンボル群の最後のシンボルを表す信号の電力強度を測定すること、及び、最後のシンボルを表す信号の電力強度がしきい値よりも低い場合に、シンボル群から最後のシンボルを除去することによって、半二重端末は、基地局がダウンリンクタイムスロットで第２のシンボル転送モードを使用した場合に、その半二重端末用であるシンボルを受信することができる。
【００３４】
特定の特徴によれば、半二重端末は、最後のシンボルを表す信号の電力強度がしきい値よりも低い限り、
シンボル群の最後のシンボルを表す信号の電力強度を測定し、且つ
最後の選択されたシンボルを表す信号の電力強度がしきい値よりも低い場合には、シンボル群から最後のシンボルを除去する。
【００３５】
したがって、たとえ、第２のシンボル転送モード又は第３のシンボル転送モードの基地局によってダウンリンクタイムスロットで使用される場合があるアイドル期間の継続時間が、２つ以上のシンボル継続時間分だけ異なったとしても、この方法は効率的である。
【００３６】
特定の特徴によれば、最後のシンボルを表す信号の電力強度がしきい値以上である場合には、半二重端末は、シンボル群のシンボルを復調する。
【００３７】
したがって、半二重端末は、半二重端末が受信することができるすべてのシンボルを復調する。
【００３８】
特定の特徴によれば、方法は、各ダウンリンクタイムスロットで実行される。
【００３９】
したがって、半二重端末は、すべてのダウンリンクタイムスロット（直後にアップリンクタイムスロットが続かないダウンリンクタイムスロットを含む）にアイドル期間を挿入する基地局から送信されるデータを効率的に復号することができる。
【００４０】
特定の特徴によれば、この方法は、アップリンクタイムスロットに先行するダウンリンクタイムスロットのそれぞれで実行される。
【００４１】
したがって、半二重端末は、直後にアップリンクタイムスロットが続くダウンリンクタイムスロットにのみアイドル期間を挿入する基地局から送信されるデータを効率的に復号することができる。
【００４２】
特定の特徴によれば、しきい値は所定の値である。
【００４３】
したがって、測定および除去プロセスは、加速及び簡単化される。
【００４４】
特定の特徴によれば、しきい値は、所定の値によってマイナー化（minor）されるシンボル群のシンボルの信号電力強度に従って求められる。
【００４５】
したがって、測定および除去プロセスは、受信される信号の動的な変動をより良く考慮することができる。
【００４６】
特定の特徴によれば、しきい値は、所定の値によってマイナー化されるシンボル群のシンボルの一部の信号電力強度に従って求められる。
【００４７】
したがって、測定および除去プロセスは、基地局によって有効に送信されたしきい値計算シンボルを考慮するだけで改善される。
【００４８】
特定の特徴によれば、しきい値は、所定の値によってマイナー化される複数のシンボル群のシンボルの少なくとも一部の信号電力強度に従って求められる。
【００４９】
したがって、測定プロセスの雑音が少なくなる。その上、測定は、しきい値計算を損なうおそれがある、たとえばパイロットシンボルといったシンボルの考慮を回避することによってより正確である。
【００５０】
特定の特徴によれば、アイドル期間は、受信されたタイミングアドバンス情報から、以下の式：
ＩＰTE＝Ｉｎｔｅｇｅｒ（（（ＴＡ＋ＲＴＳ）／ｔｓｄｌ）＋１）*ｔｓｄｌ
に従って計算され、
ここで、ＴＡはタイミングアドバンス情報であり、ＲＴＳは、端末の受信から送信への切り換え時間であり、ｔｓｄｌは１つのシンボルの継続時間である。
【００５１】
したがって、アイドル期間を求めることを半二重端末によって実現するのが容易である。
【００５２】
特定の特徴によれば、シンボル群の最後の少なくとも１つのシンボルを表す信号が、しきい値よりも低い電力強度を有する場合に、半二重端末は、基地局が、当該基地局のセル内に位置する各半二重端末について同じアイドル期間を設定すると判断する。
【００５３】
したがって、半二重端末が同じ基地局と通信する限り、測定および除去プロセスをもはや行う必要はない。
【００５４】
特定の特徴によれば、シンボル群の最後のシンボルを表す信号が、所与の個数のタイムスロット中、しきい値よりも高い電力強度を有し、且つ、シンボル群の継続時間が、少なくとも１回変化する場合に、半二重端末は、基地局がアイドル期間を設定しないと判断するか、又は、半二重端末は、基地局が、当該基地局のセル内に位置する各半二重端末について半二重端末固有のアイドル期間を求めると判断する。
【００５５】
したがって、半二重端末が同じ基地局と通信する限り、測定および除去プロセスをもはや行う必要はない。
【００５６】
特定の特徴によれば、無線セルラー通信ネットワークは、異なる端末を多重化するために、時分割多元接続技術を使用するか、又は、周波数分割多元接続技術を使用するか、又は、符号分割多元接続技術を使用する。
【００５７】
したがって、基地局は、複数の半二重端末と通信することができ、それら半二重端末のそれぞれは、送信効率を最適化するために、いずれのシンボル転送モードが基地局によって適用されているのかを判断することができる。
【００５８】
さらに別の態様によれば、本発明は、プログラマブルデバイス内に直接ロード可能とすることができるコンピュータプログラムであって、当該コンピュータプログラムがプログラマブルデバイス上で実行されると、本発明による方法のステップを実施するための命令又はコード部分を含む、コンピュータプログラムに関する。
【００５９】
このコンピュータプログラムに関する特徴及び利点は、本発明による方法及びデバイスに関連して上述したものと同じであるので、ここでは繰り返さないことにする。
【００６０】
本発明の特徴は、一例の実施形態の以下の説明を読むことによってより明確になろう。当該説明は、添付図面に関して作成されている。
【図面の簡単な説明】
【００６１】
【図１】本発明が実施される無線セルラー通信ネットワークのアーキテクチャを表す図である。
【図２】本発明による無線通信システムの半二重端末のアーキテクチャを表す図である。
【図３】ダウンリンクチャネルにおける基地局による異なるシンボル転送モードを示すクロノグラムである。
【図４ａ】基地局がアイドル期間を設定しないときのダウンリンクチャネルで半二重端末によって受信されるシンボルに対するプロセスを示すクロノグラムである。
【図４ｂ】基地局が、基地局のセル内に位置する各半二重端末について同じアイドル期間を設定するときのダウンリンクチャネルで半二重端末によって受信されるシンボルに対するプロセスを示すクロノグラムである。
【図４ｃ】基地局が、基地局のセル内に位置する各半二重端末について、ダウンリンクタイムスロットに挿入される半二重端末固有のシンボルの個数を求めるときのダウンリンクチャネルで半二重端末によって受信されるシンボルに対するプロセスを示すクロノグラムである。
【図５】本発明の第１の実現モードによる半二重端末によって実行されるアルゴリズムの一例である。
【図６】本発明の第２の実現モードによる半二重端末によって実行されるアルゴリズムの一例である。
【図７ａ】無線セルラー通信ネットワークが時分割多元接続方式を使用するときの半二重端末のチャネルインタフェースの受信部のブロック図の第１の例である。
【図７ｂ】無線セルラー通信ネットワークが周波数分割多元接続方式を使用するときの半二重端末のチャネルインタフェースの受信部のブロック図である。
【図７ｃ】無線セルラー通信ネットワークが符号分割多元接続方式を使用するときの半二重端末のチャネルインタフェースの受信部のブロック図である。
【図７ｄ】無線セルラー通信ネットワークが時分割多元接続方式を使用するときの半二重端末のチャネルインタフェースの受信部のブロック図の第２の例である。
【図７ｅ】無線セルラー通信ネットワークが時分割多元接続方式を使用するときの半二重端末のチャネルインタフェースの受信部のブロック図の第３の例である。
【発明を実施するための形態】
【００６２】
図１は、本発明が実施される無線セルラー通信ネットワークのアーキテクチャを表す図である。
【００６３】
無線セルラー通信ネットワークは、半二重周波数分割複信方式を使用することができる。
【００６４】
全二重周波数分割複信方式では、アップリンクチャネル及びダウンリンクチャネルで転送される信号は、異なる周波数帯域において、同じサブフレームで複信される。このサブフレームは、タイムスロットとも呼ばれる。
【００６５】
半二重端末ＴＥ側から見た半二重ＦＤＤ方式では、アップリンクチャネル及びダウンリンクチャネルで転送される信号は、異なる周波数帯域において、異なるサブフレームで複信される。このサブフレームは、タイムスロットとも呼ばれる。このような場合、基地局は、全二重周波数分割複信方式を使用することができる場合があると同時に、各半二重ＦＤＤ端末のタイムスロットを適切に順序付けることによっていくつかの半二重ＦＤＤ端末と同時に通信することができる場合があることに留意されたい。
【００６６】
無線セルラー通信ネットワークは、異なる端末を多重化するために、時分割多元接続技術を使用することもできるし、周波数分割多元接続技術を使用することもできるし、符号分割多元接続技術を使用することもできる。
【００６７】
基地局ＢＳが、端末ＴＥへシンボルを転送するとき、データ、信号、又はメッセージが、ダウンリンクチャネルを通じて転送される。
【００６８】
端末ＴＥが、基地局ＢＳへシンボルを転送するとき、信号、メッセージ、又はデータが、アップリンクチャネルを通じて転送される。
【００６９】
図１の無線セルラー通信ネットワークでは、基地局ＢＳ１のセル１５1内に位置する端末ＴＥは、基地局ＢＳ２のセル１５2を通って、基地局ＢＳ３のセル１５3に移動中である。
【００７０】
単純にするために、図１には、３つの基地局ＢＳしか示されていないが、実際には、無線セルラー通信ネットワークは、より重要な数の複数の基地局ＢＳから成る。
【００７１】
基地局ＢＳ１のセル１５1は、基地局ＢＳ１によって転送される信号の電力強度、たとえば基地局ＢＳ１の測定チャネルで転送される信号の電力強度が、セル１５1内に位置する端末ＴＥによって所定の値よりも上のレベルで受信されるエリアである。
【００７２】
基地局ＢＳ２のセル１５2は、基地局ＢＳ２によって転送された信号の電力強度、たとえば基地局ＢＳ２の測定チャネルで転送された信号の電力強度が、セル１５2内に位置する端末ＴＥによって所定の値よりも上のレベルで受信されるエリアである。
【００７３】
基地局ＢＳ３のセル１５3は、基地局ＢＳ３によって転送された信号の電力強度、たとえば基地局ＢＳ３の測定チャネルで転送された信号の電力強度が、セル１５3内に位置する端末ＴＥによって所定の値よりも上のレベルで受信されるエリアである。
【００７４】
基地局ＢＳ３のエリア１５3'は、１５3'内に位置する各半二重端末ＴＥについて、基地局ＢＳがその半二重端末ＴＥに対する情報をｎdl個のダウンリンクシンボルに挿入することができるエリアである。
【００７５】
エリア１５3'に含まれないセル１５3のエリアは、そのエリア内に位置する各半二重ＴＥについて、基地局ＢＳが、その半二重端末ＴＥに対する情報をｎdl個のダウンリンクシンボルに挿入することができないが、それよりも少ない個数のダウンリンクシンボルに挿入することができるエリアである。
【００７６】
エリア１５3'に含まれる半二重端末ＴＥのアイドル期間は、エリア１５3'に含まれないセル１５3のエリア内に位置する半二重端末ＴＥのアイドル期間よりも小さい。
【００７７】
基地局ＢＳは、本発明によれば、ダウンリンク信号又はダウンリンクメッセージを端末ＴＥへ転送する手段と、メッセージを受信する手段とを備える。
【００７８】
基地局ＢＳは、ノード、又はノードＢ、又は拡張ノードＢ、又はアクセスポイントとも呼ばれる。
【００７９】
端末ＴＥは、移動電話、携帯情報端末、又はパーソナルコンピュータのような半二重端末である。端末ＴＥは、ユーザ機器とも呼ばれる。
【００８０】
無線通信ネットワークは、セル同期されている場合もあるし、セル同期されていない場合もある。セル同期されている場合、種々のセル１５又は基地局ＢＳを発信源とする信号が同時に送信される。
【００８１】
より正確には、これらの信号は複数のフレームに構造化され、フレームはそれ自体がシンボルから成る。セル同期は、シンボルレベルで確保される場合があり、これは、所与のセル１５又は基地局ＢＳにおけるシンボルの送信時刻が、他の任意のセル１５又は基地局ＢＳにおけるシンボルの送信時刻と一致することを意味する。また、セル同期は、フレームレベルで確保される場合もある。その場合、所与のセル１５又は基地局ＢＳにおけるフレームの送信時刻は、他の任意のセル１５又は基地局ＢＳにおけるフレームの送信時刻と一致する。セル同期は、各基地局ＢＳにＧＮＳＳ（全地球的航法衛星システム(Global Navigation Satellite System)）を含めることによって行うことができる。
【００８２】
たとえば、基地局ＢＳ１は、図３の３０ａに開示したようにアイドル期間を設定しない基地局ＢＳであり、基地局ＢＳ２は、図３の３０ｂに開示したように基地局ＢＳ２のセル１５2内に位置する各半二重端末ＴＥについて同じアイドル期間を設定する基地局ＢＳであり、基地局ＢＳ３は、図３の３０ｃに開示したように基地局ＢＳ３のセル１５3内に位置する各半二重端末について半二重端末固有のアイドル期間を設定する基地局ＢＳである。
【００８３】
本発明によれば、半二重端末ＴＥは、たとえ基地局ＢＳ１、ＢＳ２、及びＢＳ３が、図３に開示したような異なる送信モードを使用してダウンリンクタイムスロットでシンボルを転送しても、これらの基地局ＢＳからのダウンリンクシンボルを受信及び処理することができる。
【００８４】
各半二重端末ＴＥは、アップリンクシンボルを転送するために適用しなければならないタイミングアドバンス情報ＴＡを、自身をハンドリングする基地局ＢＳから受信する。
【００８５】
本発明によれば、各半二重端末ＴＥは、タイミングアドバンス情報ＴＡからアイドル期間ＩＰTEを求める。
【００８６】
アイドル期間ＩＰTEは、半二重端末ＴＥが、ダウンリンクからアップリンクに切り換えて、タイミングアドバンス情報によって示される時点で送信を行うことを可能にし、半二重端末ＴＥは、アイドル期間ＩＰTEに含まれ得るシンボルを復調しない。換言すれば、アイドル期間ＩＰTE中に受信されたシンボルは、半二重端末ＴＥによってパンクチャリング(puncture)される。
【００８７】
ここで、ダウンリンクタイムスロット全体の情報データが符号化されて互いにインターリーブされる場合があることに留意しなければならない。したがって、最後の受信シンボルをパンクチャリングすることは、デインターリーブの後、送信されたコードワード全体にわたって拡散された、いくつかの符号化されたビットをパンクチャリングすることに対応する。パンクチャリングレベルが、すなわちパンクチャリング後の等価的な符号レートがあまり高くない場合、復号器は、パンクチャリングのレベルに従った或る性能劣化を伴って、送信された情報データを回復することができる。
【００８８】
本発明によれば、各半二重端末ＴＥは、残りのダウンリンク送信継続時間ＤDLT−ＩＰTEに含まれるシンボルを表す信号の電力強度を測定し、この電力強度をしきい値Ｔと比較する。信号のテール部(tail part)が、しきい値Ｔよりも低い電力強度を有する場合、対応する１つ又は複数のシンボルは、半二重端末ＴＥによって復調されないか又はパンクチャリングされる。基地局ＢＳ側にアイドル期間ＩＰがないと仮定すると、ＤDLTは最大継続時間である。
【００８９】
半二重端末ＴＥ側における残りのダウンリンク送信継続時間ＤDLT−ＩＰTEの各シンボルの電力強度をしきい値と比較することによって、雑音及び／又は干渉のみを表すものとして復調すべきでない又はパンクチャリングすべきである、存在し得る追加シンボルをさらに検出することが可能である。このような状況は、アイドル期間ＩＰBSが、基地局ＢＳ側において作成されたとき、及び、このアイドル期間ＩＰBSが、図３の３０ｂに開示したように第１のアイドル期間ＩＰTEよりも大きいときに起こる。
【００９０】
図２は、本発明による、無線通信システムの半二重端末のアーキテクチャを表す図である。
【００９１】
半二重端末ＴＥは、たとえば、バス２０１によって互いに接続されているコンポーネントと、図５又は図６に開示するようなアルゴリズムに関連するプログラムによって制御されるプロセッサ２００とに基づくアーキテクチャを有する。
【００９２】
ここで、半二重端末ＴＥは、一変形では、以下で開示するようなプロセッサ２００によって実行されるオペレーションと同じオペレーションを実行する１つ又はいくつかの専用集積回路の形態で実施されることに留意しなければならない。
【００９３】
バス２０１は、プロセッサ２００を、読み出し専用メモリＲＯＭ２０２、ランダムアクセスメモリＲＡＭ２０３、及びチャネルインタフェース２０５にリンクする。
【００９４】
読み出し専用メモリＲＯＭ２０２は、図５又は図６に開示するようなアルゴリズムに関連するプログラムの命令を含む。これらの命令は、半二重端末ＴＥに電源が投入されるときにランダムアクセスメモリＲＡＭ２０３へ転送される。
【００９５】
ＲＡＭメモリ２０３は、変数を収容するように意図されるレジスタと、図５又は図６に開示するようなアルゴリズムに関連するプログラムの命令とを含む。
【００９６】
チャネルインタフェース２０５は、アンテナＴＥＡｎｔを通じて基地局ＢＳへ信号及び／若しくはメッセージを転送し且つ／又は基地局ＢＳから信号及び／若しくはメッセージを受信する手段と、受信される信号（たとえば測定チャネルで転送された信号）を測定する手段とを備える。チャネルインタフェース２０５は、図７ａ〜図７ｅを参照してより詳細に開示される。
【００９７】
図７ａは、無線セルラー通信ネットワークが時分割多元接続方式を使用するときの半二重端末のチャネルインタフェースの受信部のブロック図の第１の例である。
【００９８】
このブロック図は、受信されたタイミングアドバンス情報からアイドル期間を計算した後に選択されるシンボル群の受信に関与するモジュールを表している。
【００９９】
チャネルインタフェース２０５の受信部は、アンテナＴＥＡｎｔによって受信される信号をフィルタリングする無線周波数フィルタ７００と、ベースバンド信号を提供するために、フィルタリングされた信号に、発振器７０２によって提供される信号を乗算する乗算器７０１とを備える。
【０１００】
ベースバンド信号は、フィルタ７０３でフィルタリングされる。この結果の信号は、自動利得コントローラ７０５へ転送される。自動利得コントローラ７０５は、この結果の信号の動的特性（dynamic）をアナログ／デジタル変換器７０６の特性と一致させるために、結果の信号に乗算を行うための乗算器７０４によって使用される乗算係数を求める。
【０１０１】
乗算された結果の信号は、アナログ／デジタル変換器７０６によって変換され、ダウンリンクタイムスロットに含まれるシンボルｓ（ｉ）を提供する。
【０１０２】
シンボルｓ（ｉ）は、モジュール７０７へ転送される。モジュール７０７は、シンボルｓ（ｉ）の電力強度を測定し、しきい値Ｔが予め決定されていない場合には、この電力からしきい値Ｔを求める。モジュール７０７は、シンボルｓ（ｉ）の電力強度がＴよりも小さい場合には、シンボルｓ（ｉ）をパンクチャリングする。
【０１０３】
パンクチャリングされなかったシンボルｓ（ｉ）は、従来のベースバンド処理ユニット７０８へ転送される。
【０１０４】
従来のベースバンド処理の前に、電力がＴよりも小さいシンボルをパンクチャリングすることによって、ベースバンド処理が短縮され、計算資源が節約される。パンクチャリングされたシンボルに対しては、通常のベースバンドプロセス（たとえば、チャネル推定）のいずれも行われない。これは、１つの信号ストリームを２つの信号ストリームに多重分離(demultiplexing)して、第１の信号ストリームをさらに処理し、第２の信号ストリームをそれ以上処理しないことのように見える。
【０１０５】
図７ｄは、無線セルラー通信ネットワークが時分割多元接続方式を使用するときの半二重端末のチャネルインタフェースの受信部のブロック図の第２の例である。
【０１０６】
図７ｄの例は、図７ａの例と類似している。モジュール７００〜７０６は、モジュール７６０〜７６６と同一である。図７ｄは、パンクチャリングされたシンボルに対応する復号されたビットの信頼性メトリックを適切な値に設定することによって、パンクチャリングを復号ステージにおいて従来のベースバンド処理モジュール７６８内で行うことができるという意味で図７ａと異なる。
【０１０７】
モジュール７６７は、シンボルｓ（ｉ）の電力強度を測定し、しきい値Ｔが予め定められていない場合には、この電力からしきい値Ｔを求める。
【０１０８】
図７ｅは、無線セルラー通信ネットワークが時分割多元接続方式を使用するときの半二重端末のチャネルインタフェースの受信部のブロック図の第３の例である。
【０１０９】
図７ｅの例は、図７ａの例と類似している。モジュール７００〜７０３は、モジュール７７０〜７７３と同一である。図７ｅは、しきい値計算及びパンクチャリングをアナログ領域で行うことができるという意味で図７ａと異なる。この後者の手法によって、端末の処理タスクはさらに削減される。
【０１１０】
フィルタリングされたアナログ信号ｓ（ｔ）は、自動利得コントローラ７７５及びモジュール７７７へ転送される。モジュール７７７は、シンボルｓ（ｔ）の電力強度を測定し、しきい値Ｔが予め決定されていない場合には、この電力からしきい値Ｔを求める。モジュール７７７は、シンボルｓ（ｔ）の電力強度がＴよりも小さい場合には、シンボルｓ（ｔ）をパンクチャリングする。
【０１１１】
自動利得コントローラ７７５は、信号の動的特性をアナログ／デジタル変換器７７７の特性に一致させるために、モジュール７７４の出力に乗算を行うための乗算器７７６によって使用される乗算係数を求める。
【０１１２】
乗算された結果の信号は、アナログ／デジタル変換器７７７によって変換されて、パンクチャリングされないシンボルｓ（ｉ）を提供する。
【０１１３】
シンボルｓ（ｉ）は、従来のベースバンド処理ユニット７７８へ転送される。
【０１１４】
図７ｂは、無線セルラー通信ネットワークが周波数分割多元接続方式、たとえばＯＦＤＭＡ方式、を使用するときの半二重端末のチャネルインタフェースの受信部のブロック図である。
【０１１５】
このブロック図は、受信されたタイミングアドバンス情報からアイドル期間を計算した後に選択されるシンボル群の受信に関与するモジュールを表している。
【０１１６】
チャネルインタフェース２０５の受信部は、アンテナＴＥＡｎｔによって受信される信号をフィルタリングする無線周波数フィルタ７００と、ベースバンド信号を提供するために、フィルタリングされた信号に、発振器７２２によって提供される信号を乗算する乗算器７２１とを備える。
【０１１７】
ベースバンド信号は、フィルタ７２３でフィルタリングされる。この結果の信号は、自動利得コントローラ７２５へ転送される。自動利得コントローラ７２５は、この結果の信号の動的特性をアナログ／デジタル変換器７２６の特性と一致させるために、結果の信号に乗算を行うための乗算器７２４によって使用される乗算係数を求める。
【０１１８】
乗算された結果の信号は、デジタル同期モジュール７２８へ転送されるデジタルサンプルを提供するために、アナログ／デジタル変換器７２６によって変換される。デジタル同期モジュール７２８は、受信されたシンボルを同期させる。同期されたサンプルは、高速フーリエ変換モジュール７２８によって周波数領域に変換され、シリアル／パラレル変換器７２９によってシリアル形式からパラレル形式へ転置される。
【０１１９】
半二重端末ＴＥに割り当てられた周波数にマッピングされたシンボルは、モジュール７３０に供給される。モジュール７３０は、シンボルｓ（ｉ）の電力を測定し、しきい値Ｔが予め定められていない場合には、この電力からしきい値Ｔを求める。モジュール７３０は、シンボルｓ（ｉ）の電力がＴよりも小さい場合には、シンボルｓ（ｉ）をパンクチャリングする。パンクチャリングされないシンボルは、復号モジュール７３１へ送信される。
【０１２０】
チャネルインタフェース２０５の受信部は、本発明に従って選択されるシンボルを復調する復調器を備える。
【０１２１】
図７ｃは、無線セルラー通信ネットワークが符号割多元接続方式を使用するときの半二重端末のチャネルインタフェースの受信部のブロック図である。
【０１２２】
このブロック図は、受信されたタイミングアドバンス情報からアイドル期間を計算した後に選択されるシンボル群の受信に関与するモジュールを表している。
【０１２３】
チャネルインタフェース２０５の受信部は、アンテナＴＥＡｎｔによって受信される信号をフィルタリングする無線周波数フィルタ７４０と、ベースバンド信号を提供するために、フィルタリングされた信号に、発振器７４２によって提供される信号を乗算する乗算器７４１とを備える。
【０１２４】
ベースバンド信号は、フィルタ７４３でフィルタリングされる。この結果の信号は、自動利得コントローラ７４５へ転送される。自動利得コントローラ７４５は、この結果の信号の動的特性をアナログ／デジタル変換器７４６の特性と一致させるために、結果の信号に乗算を行うための乗算器７４４によって使用される乗算係数を求める。
【０１２５】
乗算された結果の信号は、デジタル同期モジュール７４８へ転送されるデジタルサンプルを提供するために、アナログ／デジタル変換器７４６によって変換される。デジタル同期モジュール７４８は、受信されたシンボルを同期させ、チャネル推定又はチャネル等化に進む。同期されたシンボルは、本発明に従って選択されるシンボルを取り出すために、その半二重端末に割り当てられた拡散符号を使用して多重分離される。
【０１２６】
多重分離されたシンボルｓ（ｉ）は、モジュール７４９に供給される。モジュール７４９は、シンボルｓ（ｉ）の電力を測定し、しきい値Ｔが予め定められていない場合には、この電力からしきい値Ｔを求める。モジュール７４９は、シンボルｓ（ｉ）の電力がＴよりも小さい場合には、シンボルｓ（ｉ）をパンクチャリングする。
【０１２７】
パンクチャリングされないシンボルは、復号モジュール７５０へ送信される。
【０１２８】
図４ａは、基地局がアイドル期間を設定しないときのダウンリンクチャネルで半二重端末によって受信されるシンボルに対するプロセスを示すクロノグラムである。
【０１２９】
図４ａでは、基地局ＢＳ、例として基地局ＢＳ１は、図３の３０ａで示すクロノグラムに開示したように、アイドル期間を一切考慮することなく、ダウンリンクチャネルＤＬTでシンボルを転送する。ダウンリンクタイムスロットの全継続時間は、ＤDLTに等しい。
【０１３０】
各半二重端末ＴＥは、アップリンクシンボルを転送するために適用しなければならないタイミングアドバンスＴＡを基地局ＢＳから受信する。
【０１３１】
本発明によれば、各半二重端末ＴＥは、タイミングアドバンス情報ＴＡから、アイドル期間ＩＰTE＝ｆ（ＴＡ）を求める。アイドル期間ＩＰTE中、ＤＬTの最後の３つの受信シンボルが、半二重端末ＴＥによってパンクチャリングされる。ＤＬRに含まれるシンボルのみが、ダウンリンクタイムスロットＤＬTの開始部に含まれるシンボルとして選択される。ダウンリンクタイムスロットＤＬTの開始部は、最大ダウンリンクタイムスロット継続時間ＤDLTからアイドル期間ＩＰTEを引いたものに等しい継続時間ＤDLを有する。
【０１３２】
選択されたシンボルは復調される。
【０１３３】
その結果、パンクチャリングの後、半二重端末は、結果のダウンリンク送信継続時間ＤDLに存在すると予測されるシンボルｓ（１）…ｓ（Ｎ）の個数Ｎを推定する。
【０１３４】
図４ｂは、基地局が、基地局のセル内に位置する各半二重端末について同じアイドル期間を設定するときのダウンリンクチャネルで半二重端末によって受信されるシンボルに対するプロセスを示すクロノグラムである。
【０１３５】
図４ｂでは、基地局ＢＳ、例として基地局ＢＳ２は、アイドル期間ＩＰBSを求める。このアイドル期間ＩＰBSは、基地局ＢＳ２のセル１５2内に位置するいずれの半二重端末ＴＥについても同じである。アイドル期間中、シンボルは、基地局ＢＳ２によって転送されない。
【０１３６】
各半二重端末ＴＥは、アップリンクシンボルを転送するために適用しなければならないタイミングアドバンス情報ＴＡを基地局ＢＳ２から受信する。
【０１３７】
本発明によれば、各半二重端末ＴＥは、タイミングアドバンス情報ＴＡから、アイドル期間ＩＰTE＝ｆ（ＴＡ）を求める。
【０１３８】
アイドル期間ＩＰTE中、ＤＬTの最後の３つの受信シンボルが、半二重端末ＴＥによってパンクチャリングされる。ＤＬRに含まれるシンボルのみが、最大ダウンリンクタイムスロット継続時間ＤDLTからアイドル期間ＩＰTEを引いたものに等しい継続時間ＤDLを有するダウンリンクタイムスロットＤＬTの開始部に含まれるシンボルとして選択される。
【０１３９】
その場合、半二重端末ＴＥがセル１５のエッジに位置していない場合、ＩＰBS＞ＩＰTEが起こり得る。したがって、シンボルｓ（１）…ｓ（Ｎ）の一部のＡ個（Ａ＜Ｎ）のみが、結果のダウンリンク送信継続時間に存在すると予測され、受信されるシンボルである。有用な信号はＩＰBS中には実際に半二重端末ＴＥへ送信されていないので、Ｎ−Ａ個のテールシンボルは、雑音及び／又は干渉でしかない。
【０１４０】
本発明によれば、半二重端末ＴＥは、シンボル群の最後のシンボルを表す信号の電力強度を測定し、最後のシンボルを表す信号の電力強度がしきい値よりも低い場合には、シンボル群から最後のシンボルを除去する。最後のシンボルは、その最後のシンボルを表す信号の電力強度がしきい値よりも低い限り除去される。
【０１４１】
最後のシンボルを表す信号の電力強度がしきい値以上である場合には、シンボル群のシンボルは復調される。
【０１４２】
最後の１つ又は複数のシンボルを除去することによって、半二重端末ＴＥは、実際にはシンボルを一切含まない信号を復号することを回避する。したがって、受信機の処理資源が、節約されるだけでなく、真に受信されたシンボルの復号品質も、より高くなる。
【０１４３】
図４ｃは、基地局ＢＳが、基地局のセル内に位置する各半二重端末のダウンリンクタイムスロットに挿入されるシンボルの、半二重端末固有の個数を求めるときの、ダウンリンクチャネルで半二重端末によって受信されるシンボルに対するプロセスを示すクロノグラムである。
【０１４４】
３０ｃで示すクロノグラムでは、基地局ＢＳ、例として基地局ＢＳ３は、基地局ＢＳ３によってハンドリングされる各半二重端末ＴＥについて、その半二重端末ＴＥに割り当てることができるダウンリンクタイムスロットのダウンリンクシンボルの個数を求める。
【０１４５】
ダウンリンクシンボルの個数は半二重端末ＴＥによって変化するので、アイドル期間も半二重端末ＴＥによって変化する。
【０１４６】
各半二重端末ＴＥは、アップリンクシンボルを転送するために適用しなければならないタイミングアドバンス情報ＴＡを基地局ＢＳ３から受信する。
【０１４７】
本発明によれば、各半二重端末ＴＥは、タイミングアドバンス情報ＴＡから、アイドル期間ＩＰTEを求める。アイドル期間ＩＰTE中、最後の３つの受信シンボルが、半二重端末ＴＥによってパンクチャリングされる。
【０１４８】
アイドル期間ＩＰTE中、ＤＬTの最後の３つの受信シンボルが、半二重端末ＴＥによってパンクチャリングされる。ＤＬRに含まれるシンボルのみが、最大ダウンリンクタイムスロット継続時間ＤDLTからアイドル期間ＩＰTEを引いたものに等しい継続時間ＤDLを有するダウンリンクタイムスロットＤＬTの開始部に含まれるシンボルとして選択される。
【０１４９】
本発明によれば、半二重端末ＴＥは、シンボル群の最後のシンボルを表す信号の電力強度を測定し、シンボル群において最後のシンボルを維持する。その理由は、基地局ＢＳ３が半二重端末ＴＥに従ってアイドル期間ＩＰBSをＩＰTE＝ＩＰBSとして求めることから、最後のシンボルを表す信号の電力強度がしきい値以上であるためである。
【０１５０】
図５は、本発明の第１の実現モードによる半二重端末によって実行されるアルゴリズムの一例である。
【０１５１】
より正確には、本アルゴリズムは、各ダウンリンクタイムスロットについて、又は、アップリンクタイムスロットに先行するダウンリンクタイムスロットのそれぞれについて、各半二重端末ＴＥのプロセッサ２００によって実行される。
【０１５２】
ステップＳ５００において、半二重端末ＴＥのプロセッサ２００は、半二重端末ＴＥに対する次のダウンリンクタイムスロットにおけるシンボルの転送の受理(acceptance)を表すメッセージを、基地局ＢＳ、例として基地局ＢＳ１から受信する。このメッセージは、チャネルインタフェース２０５を通じて受信される。
【０１５３】
次のステップＳ５０１において、プロセッサ２００は、アップリンクタイムスロットでシンボルを転送するために適用しなければならないタイミングアドバンス情報を基地局ＢＳから受信する。
【０１５４】
次のステップＳ５０２において、プロセッサ２００は、ステップＳ５０１において受信したタイミングアドバンス情報ＴＡから第１のアイドル期間ＩＰTEを計算する。
【０１５５】
アイドル期間は、受信されたタイミングアドバンス情報から、以下の式に従って計算することができる。
ＩＰTE＝Ｉｎｔｅｇｅｒ（（（ＴＡ＋ＲＴＳ）／ｔｓｄｌ）＋１）*ｔｓｄｌ
ここで、ｔｓｄｌは、１つのシンボルの継続時間であり、ＲＴＳは、端末の受信から送信への切り換え時間である。
【０１５６】
次のステップＳ５０３において、プロセッサは、最大ダウンリンクタイムスロット継続時間からアイドル期間を引いたものＤDLT−ＩＰTEに等しいダウンリンクタイムスロットの開始部に含まれるダウンリンクタイムスロットのシンボル群を選択するように、チャネルインタフェースに命令する。
【０１５７】
ＤDLTは、各半二重端末ＴＥによって知られているダウンリンクタイムスロットの最大継続時間である。
【０１５８】
次のステップＳ５０４において、プロセッサ２００は、Ｎ0個のシンボルにわたって、Ｔで示すしきい値を計算する。
【０１５９】
しきい値の値Ｔは、予め定めておくことができる。
【０１６０】
しきい値の値Ｔは、半二重端末ＴＥが、受信された信号に基づいて動的に計算してもよい。
【０１６１】
しきい値の値Ｔは、予測される受信されたダウンリンク送信継続時間からＭで示すマージンを引いたものの期間中に平均化された信号の電力強度に等しいものとすることができる。
【０１６２】
マージンＭは、所望のレベルの誤警報確率又は検出ミス確率に適合するように、半二重端末ＴＥによって測定される信号対干渉雑音比（signal over interference plus noise ratio）に従って適応させることができる。したがって、しきい値計算の感度は、半二重端末ＴＥの環境に従って調節することができる。
【０１６３】
代替的に、マージンＭは、処理複雑度を制限するためにシステムにおいて固定することもできる。
【０１６４】
予測される受信されたダウンリンク送信継続時間ＤDLが、ｉ＝１…Ｎを有するＮ個のシンボルｓ（ｉ）の継続時間に対応するものと仮定すると、しきい値Ｔは、デシベル表記で以下のように計算される。
【０１６５】
【数１】
0005227213.tif 000002
【０１６６】
ここで、ｉ＝１…Ｎを有するＮ個のシンボルｓ（ｉ）の継続時間に対応する、予測される受信されたダウンリンク送信継続時間ＤDLは、ＩＰBS＞ＩＰTEの場合に不適切なものになる場合があることに留意しなければならない。このような場合であっても、電力が多数のシンボルにわたって推定されるので、計算されたしきい値Ｔは、良好な結果を提供することができる。
【０１６７】
しきい値の値Ｔは、ダウンリンク送信タイムスロットからマージンＭを引いたものの期間中に受信された信号のシンボルの少なくとも一部のＮ0個（Ｎ0＜Ｎ）の電力強度Ｐに等しくすることができる。すなわち、
【０１６８】
【数２】
0005227213.tif 000003
【０１６９】
次のステップＳ５０５において、プロセッサ２００は、ＮIP’で示す変数を空値に設定する。
【０１７０】
次のステップＳ５０６において、プロセッサ２００は、受信されたシンボルのインデックスＮ−ＮIP’の信号電力強度｜ｓ（Ｎ−Ｎ’IP）｜2がしきい値Ｔよりも低いか否かをチェックする。
【０１７１】
｜ｓ（Ｎ−Ｎ’IP）｜2＜Ｔである場合、プロセッサ２００は、ステップＳ５０７に移動する。そうでない場合、プロセッサ２００は、ステップＳ５０９に移動する。
【０１７２】
半二重端末ＴＥ側において、予測される受信されたダウンリンク送信継続時間ＤDLにおける各シンボルの電力強度をしきい値と比較することによって、アイドル期間ＩＰBSが基地局で作成されているか否か、及び、基地局で作成されたアイドル期間ＩＰBSが第１のアイドル期間ＩＰTEよりも大きいか否かをさらに検出することが可能である。
【０１７３】
図４ａの例によれば、｜ｓ（Ｎ−０）｜2＞Ｔであり、プロセッサ２００は、ステップＳ５０９に移動する。
【０１７４】
ステップＳ５０９において、プロセッサ２００は、ＮIP’＝０として、ｉ＝１〜Ｎ−ＮIP’を有する、受信されたシンボルｓ（ｉ）の復調を命令する。
【０１７５】
半二重端末ＴＥは、図４ａ〜図４ｃに示す場合のいずれにおいても、所与の変調コンステレーションの変調シンボルが送信されているものと仮定して復号を行う。
【０１７６】
受信された信号の、候補となる送信信号（変調シンボル）までの距離、チャネル推定、及び雑音干渉分散（noise plus interference variance）に基づいて、符号化された各ビットのソフト値を計算することが可能である。これは、チャネルからの観察（observation from the channel）と呼ばれる。
【０１７７】
一方、信号が送信されていなかった場合、変調コンステレーションに関する仮定は不適切なものとなり、なんらかの雑音を信頼することができる観測として誤って解釈する可能性がある。ソフト値は確率とすることができ、信号が送信されていなかった場合、ソフト値は常に０．５に等しくすべきである。観察は、符号化されたビットが送信されていないので、そのビットに関する情報を一切与えない。
【０１７８】
さらに、ソフト値は、確率の対数とすることもでき、信号が送信されていなかったときは、常に０に等しくすべきである。０．５（又は０）と異なる値が復号前に計算されるとすぐに、復号性能が劣化する。したがって、符号化されたビットの観察の、すべての対応するソフト値を０．５（又は０）に設定するために、送信された信号の欠如が検出される。
【０１７９】
次のステップＳ５１０において、プロセッサ２００は、別のダウンリンクタイムスロットで他のシンボルを受信しなければならないかをチェックする。
【０１８０】
シンボルを受信する必要がない場合、プロセッサ２００は、本アルゴリズムを中断する。
【０１８１】
別のダウンリンクタイムスロットで他のシンボルを受信しなければならない場合、プロセッサ２００は、ステップＳ５１１に移動し、新しいタイミングアドバンス情報が基地局ＢＳから受信されているか否かをチェックする。
【０１８２】
新しいタイミングアドバンス情報ＴＡが基地局ＢＳから受信されていない場合、プロセッサ２００は、ステップＳ５０９に戻り、すでに説明したように、他のダウンリンクタイムスロットに含まれるシンボルを復調する。
【０１８３】
新しいタイミングアドバンス情報が基地局ＢＳから受信されている場合、プロセッサ２００は、ステップＳ５０１に戻り、本アルゴリズムを再び実行する。
【０１８４】
半二重端末ＴＥが、基地局ＢＳ１のセル１５1から基地局ＢＳ２のセル１５2へ移動するとき、基地局ＢＳ１から基地局ＢＳ２へのハンドオーバが実行され、次のタイミングアドバンス情報が、基地局ＢＳ２から受信される。
【０１８５】
プロセッサ２００は、ステップＳ５０１において、タイミングアドバンス情報ＴＡから第１のアイドル期間ＩＰTEを計算し、時間期間ＤDLT−ＩＰTE中にダウンリンクタイムスロットに含まれるシンボルを受信するようにチャネルインタフェース２０５に命令し、Ｔで示すしきい値を計算する。
【０１８６】
ステップＳ５０５において、プロセッサ２００は、ＮIP’で示す変数を空値に設定する。
【０１８７】
次のステップＳ５０６において、プロセッサ２００は、受信されたシンボルのインデックスＮ−ＮIP’の信号電力強度｜ｓ（Ｎ−Ｎ’IP）｜2がしきい値Ｔよりも低いか否かをチェックする。
【０１８８】
｜ｓ（Ｎ−Ｎ’IP）｜2＜Ｔである場合、プロセッサ２００は、ステップＳ５０７に移動する。
【０１８９】
図４ｂの例によれば、｜ｓ（Ｎ−０）｜2＜Ｔであり、プロセッサ２００は、選択されたシンボル群からシンボルＳ（Ｎ）を除去し、ステップＳ５０８に移動し、変数ＮIP’ を１単位インクリメントし、ステップＳ５０６に戻る。
【０１９０】
図４ｂの例によれば、｜ｓ（Ｎ−１）｜2に等しいシンボルｓ（Ａ）の信号電力強度は、Ｔよりも低くなく、プロセッサ２００は、ステップＳ５０９に移動し、ｉ＝１〜Ｎ−ＮIP’を有する受信されたシンボルｓ（ｉ）の復調を命令する。
【０１９１】
シンボルｓ（Ｎ）を復調しないことによって、第２のアイドル期間が設定される。
【０１９２】
図４ｂの例では、半二重端末ＴＥがセルのエッジに位置していないとき、この半二重端末ＴＥについてＩＰBS＞ＩＰTEである。シンボルｓ（１）…ｓ（Ｎ）の一部のＡ個（Ａ＜Ｎ）のみが、受信されるシンボルである。ＩＰBS中、対象となる半二重端末ＴＥに、有用な信号は実際には送信されていないので、Ｎ−Ａ個のテールシンボルは、雑音及び／又は干渉でしかない。
【０１９３】
Ｎ−Ａ個のテールシンボルのパンクチャリングによって、半二重端末ＴＥが、実際にはシンボルを一切含まない信号の復号を回避するので、受信プロセスはより効率的になる。
【０１９４】
半二重端末ＴＥが、基地局ＢＳ２のセル１５2から基地局ＢＳ３のセル１５3へ移動するとき、基地局ＢＳ２から基地局ＢＳ３へのハンドオーバが実行され、次のタイミングアドバンスが、基地局ＢＳ３から受信される。
【０１９５】
プロセッサ２００は、ステップＳ５０１において、タイミングアドバンス情報ＴＡから第１のアイドル期間ＩＰTEを計算し、時間期間ＤDLT−ＩＰTE中にダウンリンクタイムスロットに含まれるシンボルを受信するようにチャネルインタフェースに命令し、Ｔで示すしきい値を計算する。
【０１９６】
ステップＳ５０５において、プロセッサ２００は、ＮIP’で示す変数を空値に設定する。
【０１９７】
次のステップＳ５０６において、プロセッサ２００は、受信されたシンボルのインデックスＮ−ＮIP’の信号電力強度｜ｓ（Ｎ−Ｎ’IP）｜2がしきい値Ｔよりも低いか否かをチェックする。
【０１９８】
図４ｃの例によれば、ＩＰBS＝ＩＰTEであり、｜ｓ（Ｎ−０）｜2＞Ｔであるので、プロセッサ２００は、ステップＳ５０９に移動し、ｉ＝１〜Ｎ−ＮIP’を有する受信されたシンボルｓ（ｉ）の復調を命令する。
【０１９９】
図６は、本発明の第２の実現モードによる半二重端末によって実行されるアルゴリズムの一例である。
【０２００】
より正確には、本アルゴリズムは、各ダウンリンクタイムスロットについて、又は、アップリンクタイムスロットに先行するダウンリンクタイムスロットのそれぞれについて、各半二重端末ＴＥのプロセッサ２００によって実行される。
【０２０１】
本アルゴリズムは、しきい値Ｔが複数のタイムスロットにわたって求められるという意味で図５のアルゴリズムと異なる。
【０２０２】
ステップＳ６００において、半二重端末ＴＥのプロセッサ２００は、半二重端末ＴＥに対する次のダウンリンクタイムスロットにおけるシンボルの転送の受理を表すメッセージを、基地局ＢＳ、例として基地局ＢＳ１から受信する。このメッセージは、チャネルインタフェース２０５を通じて受信される。
【０２０３】
次のステップＳ６０１において、プロセッサ２００は、アップリンクタイムスロットでシンボルを転送するために適用しなければならないタイミングアドバンス情報を基地局ＢＳから受信する。
【０２０４】
次のステップＳ６０２において、プロセッサは、変数ＮTを値１に設定する。ＮTは、しきい値Ｔを求めるのに使用されるタイムスロットの個数を表す。
【０２０５】
次のステップＳ６０３において、プロセッサ２００は、ステップＳ６０１において受信したタイミングアドバンス情報ＴＡから第１のアイドル期間ＩＰTEを計算する。
【０２０６】
アイドル期間は、受信されたタイミングアドバンス情報から、以下の式に従って計算することができる。
ＩＰTE＝Ｉｎｔｅｇｅｒ（（（ＴＡ＋ＲＴＳ）／ｔｓｄｌ）＋１）*ｔｓｄｌ
ここで、ｔｓｄｌは、１つのシンボルの継続時間であり、ＲＴＳは、端末の受信から送信への切り換え時間である。
【０２０７】
次のステップＳ６０４において、プロセッサは、最大ダウンリンクタイムスロット継続時間からアイドル期間を引いたものＤDLT−ＩＰTEに等しいダウンリンクタイムスロットの開始部に含まれるダウンリンクタイムスロットのシンボル群を選択するように、チャネルインタフェースに命令する。
【０２０８】
次のステップＳ６０４において、プロセッサ２００は、Ｎ0個のシンボル及びＮT個のタイムスロットにわたって、Ｔ（ＮT）で示すしきい値を計算する。
【０２０９】
【数３】
0005227213.tif 000004
【０２１０】
次のステップＳ６０６において、プロセッサ２００は、ＮIP’で示す変数を空値に設定する。
【０２１１】
次のステップＳ６０７において、プロセッサ２００は、受信されたシンボルのインデックスＮ−ＮIP’の
【０２１２】
【数４】
0005227213.tif 000005
【０２１３】
がしきい値Ｔよりも低いか否かをチェックする。
【０２１４】
【数５】
0005227213.tif 000006
【０２１５】
である場合、プロセッサ２００は、ステップＳ６０８に移動する。そうでない場合、プロセッサ２００は、ステップＳ６０９に移動する。
【０２１６】
ステップＳ６０９において、プロセッサ２００は、変数ＮIP’を１つだけインクリメントし、ステップＳ６０７に戻る。
【０２１７】
ステップＳ６１０において、プロセッサ２００は、ｉ＝１〜Ｎ−ＮIP’を有する受信されたシンボルｓ（ｉ）の復調を命令する。
【０２１８】
次のステップＳ６１１において、プロセッサ２００は、別のダウンリンクタイムスロットで他のシンボルを受信しなければならないかをチェックする。
【０２１９】
シンボルを受信する必要がない場合、プロセッサ２００は、本アルゴリズムを中断する。
【０２２０】
別のダウンリンクタイムスロットで他のシンボルを受信しなければならない場合、プロセッサ２００は、ステップＳ６１２に移動し、新しいタイミングアドバンス情報が基地局ＢＳから受信されているか否かをチェックする。
【０２２１】
新しいタイミングアドバンス情報が基地局ＢＳから受信されていない場合、プロセッサ２００は、ステップＳ６１３に移動し、ＮTを１つだけインクリメントし、ステップＳ６０４に戻る。
【０２２２】
新しいタイミングアドバンス情報が基地局ＢＳから受信されている場合、プロセッサ２００は、ステップＳ６０１に戻り、本アルゴリズムを再び実行する。
【０２２３】
ここで、所与の個数のタイムスロットの期間中、Ｎ−ＮIP’が固定値Ａ＜Ｎに等しいことが判明した場合（すなわち、換言すれば、所与の個数のタイムスロットの期間中、シンボル群の最後の少なくとも１つのシンボルを表す信号がしきい値よりも低い電力強度を有する場合）、基地局ＢＳは、基地局ＢＳのセル内に位置する各半二重端末ＴＥについて同じアイドル期間を設定しているものとみなすことができることに留意しなければならない。半二重端末ＴＥが同じ基地局ＢＳと通信する限り、半二重端末ＴＥは、すべてのタイムスロットでＡを使用することができる。
【０２２４】
所与の個数のタイムスロットの期間中、ＡがＮに等しいことが判明し、且つ、Ｎの値が少なくとも１回変化する場合（すなわち、換言すれば、シンボル群の最後のシンボルを表す信号が、所与の個数のタイムスロットの期間中、しきい値よりも高い電力強度を有し、且つ、Ｎの値が少なくとも１回変化する場合）、基地局ＢＳは、アイドル期間を設定していないものとみなすことができるか、又は、基地局のセル内に位置する各半二重端末について半二重端末固有のアイドル期間を求めているものとみなすことができる。
【０２２５】
当然のことながら、本発明の範囲から逸脱することなく、上述した本発明の実施形態に多くの変更を行うことができる。
【図１】
0005227213.tif 000007
【図２】
0005227213.tif 000008
【図３】
0005227213.tif 000009
【図４ａ】
0005227213.tif 000010
【図４ｂ】
0005227213.tif 000011
【図４ｃ】
0005227213.tif 000012
【図５】
0005227213.tif 000013
【図６】
0005227213.tif 000014
【図７ａ】
0005227213.tif 000015
【図７ｂ】
0005227213.tif 000016
【図７ｃ】
0005227213.tif 000017
【図７ｄ】
0005227213.tif 000018
【図７ｅ】
0005227213.tif 000019